(57)【要約】【技術課題】  任意の角度にモニターを調整することができると共に、懸架作業を一人で行うことができる壁掛金具を提供する。【解決手段】  モニターＢを壁Ａの所定の位置に取り付ける壁用金具１とモニター用金具２３から成るモニター懸架用壁掛金具において、壁用金具１の側板５、５ａにはある回転トルク以上の力が付与された時のみ回転するヒンジ機構１１により保持金具８を取り付ける。一方のモニター用金具２３には、組み合わせ時前記壁用金具１の前記保持金具８へ引っ掛けて仮止めする係合爪２９、２９ａを形成する。ヒンジ機構１１は、モニターＢを見易い角度に調整し、その摩擦力（トルク）でこの角度を維持する。【選択図】        図  １
2007056471.tif 000002
【特許請求の範囲】
【請求項１】
モニターを壁の所定の位置に取り付ける壁用金具と、前記モニターに取り付けるモニター用金具とから成るモニター懸架用壁掛金具において、前記壁用金具の正面側には、一定の回転トルク以上のトルクで回転するように設定されたヒンジ機構を用いて保持金具を取り付け、一方のモニター用金具において、前記壁用金具の正面と対面する面には、前記保持金具に対して引っ掛け自在に係合爪を形成したことを特徴とするモニター懸架用壁掛金具。
【請求項２】
前記係合爪の先端は、下方に向かって折れ曲がってＬ字形状を呈していることを特徴とする請求項１に記載のモニター懸架用壁掛金具。
【請求項３】
前記モニター用金具において、左右に側板を形成し、この側板における端面の一部を突出させて幅決め保持部を形成すると共に、この保持部の根元の部分には切欠部を形成し、前記保持金具の側面に取り付けた接合ネジのネジ軸に、前記切欠部を係合させてモニター用金具に作用する回転トルクを保持金具側に伝達するように構成したことを特徴とする請求項１に記載のモニター懸架用壁掛金具。
【請求項４】
前記保持部の先端に外側に広がるガイド傾斜面を形成し、このガイド傾斜面の作用にて前記モニター用金具を前記保持金具に対して正面側から嵌め込むようにして組み合わせ易く形成したことを特徴とする請求項３に記載のモニター懸架用壁掛金具。
【請求項５】
モニターを壁の所定の位置に取り付ける壁用金具と、前記モニターに取り付けるモニター用金具とから成るモニター懸架用壁掛金具において、前記壁用金具の壁取付面の両サイドには、前方に直角に起こして形成した側板が形成されていると共に、この側板の前端縁は中間部から下においてその幅が大きく形成されていること、
前記壁掛金具の側板の下位には、一定の回転トルクで回転するヒンジ機構を介して保持金具が取り付けられていると共に、この保持金具の上端には水平に受け座が形成されていること、
前記モニター用金具には、モニターを固定するモニター取付面の両サイドを後方に直角に起こして形成した側板が形成されていると共に、この側板の中間部より下位には、側板より更に突出し、かつ先端側が外に広がったガイド傾斜面を有する保持部を形成し、この保持部の根元側の下部に切欠部を形成し、更にこのモニター用金具において、前記側板の内側には、前記保持金具の受け座に上方から係合するための下向きの係合爪が形成されていること、
前記保持金具において、前記ヒンジ機構より上位に接合ネジを取り付けて、前記モニター用金具の保持部の根元に形成した切欠部が係合することにより、モニター側金具に作用する回転トルクを保持金具を経由して前記ヒンジ機構に伝達するように構成したことを特徴とするモニター懸架用壁掛金具。
【請求項６】
前記保持金具に穿設された前記ヒンジ機構の軸が貫通する固定孔を多角形に形成し、この多角形の固定孔にヒンジ機構の軸をカシメ止めしたことを特徴とする請求項１又は５に記載のモニター懸架用壁掛金具。
【請求項７】
前記ヒンジ機構において、ワッシャーの摺動面にグリス溜りを形成したことを特徴とする請求項１又は５に記載のモニター懸架用壁掛金具。
【発明の詳細な説明】
【技術分野】
【０００１】
本発明は、液晶テレビやＰＤＰなどを壁に懸架すると共に、上向き又は下向き下に角度を変えて視聴者に見えやすい位置にモニターの向きを調整することが可能なモニター懸架用壁掛金具に関するものである。
【背景技術】
【０００２】
液晶テレビやＰＤＰなどの表示装置（以下「モニター」と称する）は大型化しており、そのために専用設置台が必要となっている。しかし、専用設置台を置くスペースを確保するために室内のレイアウトを大きく変えたり、複数の視聴者が同時に見やすい位置にモニターを設置したりする場合には、専用設置台を置く場所に様々な制限がある。
このようなことから、近年、モニターは薄型へ移行し、それにともなって壁に懸架するタイプが増している。モニターを壁に懸架するようにすると、設置場所が自由に選べ、また、店舗等の場合には同時に多くのお客様に見ていただくことができる効果が生じる。
【０００３】
現在、モニターの懸架用壁掛金具として様々な形の金具があるが、この代表例を図１５に示す。
この金具は、壁取付面１０１の両サイドに枠１０２を形成すると共に、この枠１０２の上下にガイド孔１０３を設け、更に、枠１０２の外側面にネジ孔１０４を設けた構成から成る掛用金具１００と、モニター取付面２０１の両サイドにネジ孔２０３付のＬ型の袖板２０２を形成すると共に、この袖板２０２の上方に上部爪２０４を形成し、袖板２０２の下方に下部爪２０５を形成したモニター用金具２００の２点部品で構成されていて、それぞれの金具を壁とモニターに取り付けたのち、モニターをかかえてモニター用金具２００の上下の爪２０４、２０５を壁用金具１００のガイド孔１０３に前から挿入して係合させることにより、モニター側金具２００を壁用金具１００に係合させたのち、ボルト２０６をネジ孔１０３、２０３に通して固定するもので、モニターの角度（垂直、下向き５°、上向き１０°）は、ボルト２０６をネジ孔１０３、２０３に通す位置で決定する方式である。
【０００４】
しかし、この金具の場合、モニターを壁に懸架する際、モニターを保持する作業者とボルト２０６を締め付ける作業者の最低２人が必要となり能率的でない。また、上向き又は下向きの角度の調整は、ネジ孔１０３、２０３の位置関係で最初から規定されているため、それ以外の角度を任意に設定できない不便さがある。
また、別の例が特開２００１−５０２２３号公報に紹介されている。この構造は壁用金具へモニター用金具を組み込むときに壁用金具へモニター用金具を引っ掛ける構造である。
しかし、この公知例の場合、上向き及び下向きの角度については一定であり、視聴者が見やすい角度にモニターを調整することはできない。
【特許文献１】特開２００１−５０２２３号公報
【発明の開示】
【発明が解決しようとする課題】
【０００５】
本発明の目的は、モニターを壁に懸架する際、１人の作業者が容易に作業でき、さらにモニターの傾斜角度を自由に調整できるモニター懸架用壁掛金具を提供することにある。
【課題を解決するための手段】
【０００６】
上記目的を達成するため、請求項１に記載の発明においては、モニターを壁の所定の位置に取り付ける壁用金具と、前記モニターに取り付けるモニター用金具とから成るモニター懸架用壁掛金具において、前記壁用金具の正面側には、一定の回転トルク以上のトルクで回転するように設定されたヒンジ機構を用いて保持金具を取り付け、一方のモニター用金具において、前記壁用金具の正面と対面する面には、前記保持金具に対して引っ掛け自在に係合爪を形成したことを特徴とするものである。
保持金具がヒンジ機構により任意の角度に傾斜できるためモニターを視聴者が都合の良い上下角度に設定できる。さらに、その保持金具に引っ掛けるための爪をモニター金具へ具備しているため、懸架作業の時モニターを保持金具へ爪により仮固定できるので作業が1人でも容易にできる。
【０００７】
さらに請求項２に記載の発明においては、請求項１に記載のモニター懸架用壁掛金具において、前記係合爪の先端は、下方に向かって折れ曲がってＬ字形状を呈していることを特徴とするものである。
この発明によると、係合爪の先端が下方に向かって折れ曲がっているため、係合爪が保持金具から外れる危険性が減少し、製品の落下防止の向上が図れる。
【０００８】
さらに請求項３に記載の発明においては、前記モニター用金具において、左右に側板を形成し、この側板における端面の一部を突出させて幅決め保持部を形成すると共に、この保持部の根元の部分には切欠部を形成し、前記保持金具の側面に取り付けた接合ネジのネジ軸に、前記切欠部を係合させてモニター用金具に作用する回転トルクを保持金具側に伝達するように構成したことを特徴とするものである。
従来の懸架用壁掛金具は壁用金具とモニター用金具とをネジにより接合している。しかし、懸架作業時モニターと壁の間は狭くなるのでネジ止め作業が困難であったが、本発明の懸架用壁掛金具では、保持金具へ固定用の接合ネジを予め仮止めしておけば、モニターを保持金具へ取り付けるとき、モニター用金具の保持金具に形成された切欠部に接合ネジのネジ軸を通過させることができるので、後は、ドライバーで接合ネジを本締めするだけで懸架作業が完了する。したがって、狭い隙間においてネジを新たに供給する必要がない。
【０００９】
さらに請求項４に記載の発明においては、請求項３に記載のモニター懸架用壁掛金具において、前記保持部の先端に外側に広がるガイド傾斜面を形成し、このガイド傾斜面の作用にて前記モニター用金具を前記保持金具に対して正面側から嵌め込むようにして組み合わせ易く形成したことを特徴とするものである。
この発明によると、モニターを壁用金具へ取り付けるとき、モニターの背面に各金具が有るため見えず、そのため、勘にたよることが多かったが、本発明の懸架用壁掛金具では、保持部の先端側に、ガイド傾斜面を形成した効果により、多少のズレがあっても呼び込んで合体するので、懸架作業が容易になる。
【００１０】
さらに請求項５に記載の発明においては、モニター懸架用壁掛金具において、モニターを壁の所定の位置に取り付ける壁用金具と、前記モニターに取り付けるモニター用金具とから成るモニター懸架用壁掛金具において、前記壁用金具の壁取付面の両サイドには、前方に直角に起こして形成した側板が形成されていると共に、この側板の前端縁は中間部から下においてその幅が大きく形成されていること、
前記壁掛金具の側板の下位には、一定の回転トルクで回転するヒンジ機構を介して保持金具が取り付けられていると共に、この保持金具の上端には水平に受け座が形成されていること、
前記モニター用金具には、モニターを固定するモニター取付面の両サイドを後方に直角に起こして形成した側板が形成されていると共に、この側板の中間部より下位には、側板より更に突出し、かつ先端側が外に広がったガイド傾斜面を有する保持部を形成し、この保持部の根元側の下部に切欠部を形成し、更にこのモニター用金具において、前記側板の内側には、前記保持金具の受け座に上方から係合するための下向きの係合爪が形成されていること、
前記保持金具において、前記ヒンジ機構より上位に接合ネジを取り付けて、前記モニター用金具の保持部の根元に形成した切欠部が係合することにより、モニター側金具に作用する回転トルクを保持金具を経由して前記ヒンジ機構に伝達するように構成したことを特徴とするものである。
【００１１】
さらに請求項６に記載の発明においては、請求項１又は５に記載のモニター懸架用壁掛金具おいて、前記保持金具に穿設された前記ヒンジ機構の軸が貫通する固定孔を多角形に形成し、この多角形の固定孔にヒンジ機構の軸をカシメ止めしたことを特徴とするものである。
本発明によると、ヒンジ機構において、ヒンジ機構の軸と保持金具は一体となって回転することが必要である。その理由はスリップすると任意の角度で固定できなくなるからである。そのため、従来は軸に回り止め機構（Ｄカット等）を形成する必要があり、工程数が増えて軸の生産に支障があった。本発明の懸架用壁掛金具では、保持金具側の固定孔を多角形にすることにより、円筒形の軸をかしめた時、軸が多角形になじむ様になり、よって、回転に対して各角が引っかかり、スリップしない効果が生じ、軸と保持金具は一体となって作動することになる。
【００１２】
さらに請求項７に記載の発明においては、前記ヒンジ機構において、ワッシャーの摺動面にグリス溜りを形成したことを特徴とするものである。
この発明によると、通常ヒンジ機構をなすワッシャーにおいて、摺動する面にグリスを塗布して焼付け防止や円滑な摺動を得ている。さらに、本発明の懸架用壁掛金具では、前記ワッシャーの摺動面にグリス溜りを形成したことによりグリスが均一に塗布され耐久性能が向上する。
【発明の効果】
【００１３】
請求項１〜請求項７に記載されたモニター懸架用壁掛金具によると、次の効果を奏する。
１．モニターの上向き又は下向きの角度を自由に変えられるので、視聴者は適した角度    でモニターを見ることができる（請求項１、５）。
２．モニターを一時的に壁掛金具へ掛けられ、また、保持金具とモニター用金具とを固    定する接合ネジは、始めは仮止めしておき、組み合わせ後本締めができるので、１人    の作業者により懸架作業ができる（請求項１、２、３）。
３．壁用金具にはモニター用金具を呼び込むガイド傾斜面付の保持部を形成しているの    で懸架作業を容易に行うことができる（請求項４）。
４．保持金具に形成された固定孔を多角形に形成することにより、軸は円筒形でよく、    したがって旋盤加工のみで作成できる（請求項６）。
５．ヒンジ機構において、ワッシャーの摺動面に凹状のグリス溜りを形成したので耐久    性が向上する（請求項７）。
【発明を実施するための最良の形態】
【００１４】
本発明に係るモニター懸架用壁掛金具の基本的な形態は、モニターを容易に壁へ懸架でき、また、モニターの上下角度が任意に選択できることを特徴とする。
次に、本発明の実施例を各図に基づいて説明する。
【実施例】
【００１５】
先ず、図１〜図４に基づいて、壁用金具の構成を説明する。この壁用金具１は、仮止孔３、ビス孔４を形成した取付面２の両サイドを前方に直角に起こして側板５、５ａを形成すると共に、この側板５、５ａの前端縁を中間から下方においてその幅を増やし、更に側板５、５ａの下部には回転規制穴６、６ａ、ヒンジ軸支孔７（図５参照）を形成した構成であって、壁用金具１の材質はＳＰＣＣである。
【００１６】
次に保持金具の構成を図１〜図４に基づいて説明する。この保持金具８は、上端面に水平な受け座９を形成し、下部を前記壁用金具１の側板５、５ａの下部であって、前記回転規制穴６、６ａの前方において、ヒンジ機構（後述）にて回転自在に取り付けられた構成である。更に、この保持金具８の後縁には、ストッパー爪１０が形成されていて、このストッパー爪１０は、前記回転規制穴６、６ａに遊び係合している。このため、保持金具８は、その回転角（傾斜角の上限と下限）が規制されるようになっている。この保持金具８の材質はＳＵＳ３０４ＣＰである。
【００１７】
次に、上記壁用金具１ に保持金具８を取り付けているヒンジ機構について、図５〜図８を基に詳細に説明する。
これら各図において、ヒンジ機構１１は、壁用金具１へ保持金具８を一定のトルクのもとに回転自在に取り付ける機能を有し、側板５、５ａに穿設されたヒンジ軸支孔７へ軸１３を通し、回転可能に軸支された回転シャフト１２（材料：ＳＵＳ３０３）と、側板５、５ａの外側面と保持金具８との間に軸１３に拘束されつつその中心部に設けた軸孔１５へ軸１３を通して設けた第１ワッシャー１４（材料：Ｃ５１９−Ｈ）と、側板５、５ａの内側面に接して軸１３に拘束されつつその中心部に設けた軸孔１７へ軸１３を通して設けた第２ワッシャー１６（材料：Ｃ５１９−Ｈ）と、この第２ワッシャー１６と接して軸１３へ拘束されつつその中心部に設けた軸孔１９へ軸１３を通して設けた第３ワッシャー１８（材料：ＳＵＳ３０１ＣＳＰ−Ｈ）と、この第３ワシャー１８と接して軸１３に拘束されつつその中心部へ設けた軸孔２１へ軸１３を通して設けたスプリングワッシャー２０（材料：ＳＵＳ３０４ＣＰ）と、保持金具８から突き出た軸１３の端面をかしめることによって形成されたかしめ部２２からなり、保持金具８へ所定以上の回転トルクが加えられた時のみ保持金具８が回転する構成となっている。
【００１８】
さらに、回転シャフト１２の軸１３の端面は、かしめ変形分と保持金具８の板厚分の寸法が中空になりその先奥は円錐状になっている（図５参照）。
かしめる前は、図７に示すように軸支孔８ａと軸１３との間に僅かな隙間があるが、軸１３の端面を強打することにより軸１３の中空部は外側に拡径するため、図８に示す様に隙間が無くなり、軸１３と保持金具８の軸支孔８ａは密接し、強固に結合される。また角部があるため保持力が高まり回転力が加わっても軸１３と軸支孔８ａ間においてスリップすることがない。
ヒンジ機構１１において摺動する面を持つ第１ワッシャー１４及び第２ワッシャー１６の側面には、図６に示すように、ディンプル加工により凹状のグリス溜り１４ａ、１６ａ（但し、第２ワッシャー１６側のグリス溜り１６ａは、図６においては裏側のため、図面上には現れていない）を形成した。このグリス溜り１４ａ、１６ａにより、グリスがグリス溜り１４ａ、１６ａに保持されているため、焼きつき防止効果や円滑な摺動性能が得られる。
本実施例のヒンジ機構１１の回転トルク値は、懸架するモニターを２３インチタイプとして基準値を１６N・ｍとした。なお、別の例としてモニターが２１インチタイプの場合回転トルクの基準値は１４N・ｍとしている。
なお、ワッシャーの形状や枚数などの構成に限定はない。
【００１９】
次にモニター用金具２３について図９〜図１１を基に説明する。壁用金具１同様モニター用金具２３も平面コの字に形成されており、取付面２４の両サイドを後方に直角に折り曲げて側板２５、２５ａを形成し、更に、この側板２５、２５ａの中間より少し下に先端に僅かなガイド傾斜面２７、２７ａを形成した保持部２６、２６ａと、この保持部２６、２６ａの根元の下部に切欠部２８、２８ａを形成し、更に、前記取付面２４の上部であって、側板２５、２５ａの内側には下向きの係合爪２９、２９ａを形成した構成である。３０はモニター用金具２３を切欠部２８、２８ａにて固定するために、保持金具８の側面に形成したネジ孔３１に固定自在の接合ネジである。
【００２０】
次に本実施例の懸架用壁掛金具を用いたモニターの懸架方法を図１２（Ａ）（Ｂ）及び図１３を基に説明する。
壁用金具１を壁Ａの所定の位置にネジを用いて取り付ける一方、モニター用金具２３もモニターＢの背面にネジを用いて取り付ける。壁用金具１とモニター用金具２３には金具の上下方向を示す矢印刻印しておけば取り付け方向を間違えることはない。
なお、壁用金具１における保持金具８へ接合ネジ３０を保持金具８のネジ孔３１内にねじ込むときに、モニター用金具２３の切欠部２８、２８ａ部分の板厚分浮かして仮止めしておく。
【００２１】
以上の様に各金具を取り付けたら図１２（Ａ）に示すように金具を向き合わせて懸架作業に移る。まず、壁用金具１の位置とへモニター用金具２３の位置を合わせる。そのとき、モニター用金具２３に形成されたガイド傾斜面２７、２７ａの効果にて簡単に位置合わせができる。次に、図１２（Ｂ）に示す様にモニター用金具２３の係合爪２９を保持金具８の受け座９へ掛ける様にし、下方に下ろして組み合わせを行う。係合爪２９が下方に向かってＬ字型であるため、振動があっても落下することはなく作業者がモニターＢから離れても安全に保持することができる。また、保持金具８へ接合ネジ３０が取り付けられていても切欠の効果で支障はない。
【００２２】
組み合わせ完了後、接合ネジ３０を締め付けて切欠部２８、２８ａに係合させることにより壁用金具１とモニター用金具２３は結合され、これで懸架作業は終了する（図１３）。
本実施例によればモニターＢはヒンジ機構１１により上下方向に角度を振ることができる。本実施例のヒンジ機構１１は図１４に示す様に側板５、５ａに形成された回転規制穴６、６ａと保持金具８のストッパー爪１０との関係により上向き角度６゜〜下向き角度１０゜の以内で任意にモニターＢの角度を変えられるため、視聴者は良い条件でモニターＡを見ることができる。
【図面の簡単な説明】
【００２３】
【図１】懸架用壁掛金具の説明図
【図２】壁用金具と保持金具の正面図
【図３】壁用金具と保持金具の側面図
【図４】壁用金具と保持金具の平面図
【図５】ヒンジ機構の断面図
【図６】ヒンジ機構の分解斜視図
【図７】保持金具に軸をカシメ止めする直前の説明図
【図８】保持金具に軸をカシメ止めした状態の説明図
【図９】モニター用金具の正面図
【図１０】モニター用金具の側面図
【図１１】モニター用金具の平面図
【図１２】（Ａ）は壁用金具にモニター用金具を引っ掛ける直前の説明図、（Ｂ）は引っ掛けた後の説明図
【図１３】壁用金具にモニター用金具を引っ掛けた状態の説明図
【図１４】モニターの角度調整の説明図
【図１５】従来の懸架用壁掛金具の説明図
【符号の説明】
【００２４】
１  壁用金具
８  保持金具
９  受け座
１１  ヒンジ機構
１２  回転シャット
１３  軸
１４  第１ワッシャー
１６  第２ワッシャー
２０  スプリングワッシャー
２３  モニター用金具
２７、２７a  ガイド傾斜面
２９、２９ａ  係合爪
【図１】
2007056471.tif 000003
【図２】
2007056471.tif 000004
【図３】
2007056471.tif 000005
【図４】
2007056471.tif 000006
【図５】
2007056471.tif 000007
【図６】
2007056471.tif 000008
【図７】
2007056471.tif 000009
【図８】
2007056471.tif 000010
【図９】
2007056471.tif 000011
【図１０】
2007056471.tif 000012
【図１１】
2007056471.tif 000013
【図１２】
2007056471.tif 000014
【図１３】
2007056471.tif 000015
【図１４】
2007056471.tif 000016
【図１５】
2007056471.tif 000017
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
モニターを壁の所定の位置に取り付ける壁用金具と、前記モニターに取り付けるモニター用金具とから成るモニター懸架用壁掛金具において、前記壁用金具の正面側には、一定の回転トルク以上のトルクで回転するように設定されたヒンジ機構を用いて保持金具を取り付け、一方のモニター用金具において、前記壁用金具の正面と対面する面には、前記保持金具に対して引っ掛け自在に係合爪を形成したことを特徴とするモニター懸架用壁掛金具。
【請求項２】
前記係合爪の先端は、下方に向かって折れ曲がってＬ字形状を呈していることを特徴とする請求項１に記載のモニター懸架用壁掛金具。
【請求項３】
前記モニター用金具において、左右に側板を形成し、この側板における端面の一部を突出させて幅決め保持部を形成すると共に、この保持部の根元の部分には切欠部を形成し、前記保持金具の側面に取り付けた接合ネジのネジ軸に、前記切欠部を係合させてモニター用金具に作用する回転トルクを保持金具側に伝達するように構成したことを特徴とする請求項１に記載のモニター懸架用壁掛金具。
【請求項４】
前記保持部の先端に外側に広がるガイド傾斜面を形成し、このガイド傾斜面の作用にて前記モニター用金具を前記保持金具に対して正面側から嵌め込むようにして組み合わせ易く形成したことを特徴とする請求項３に記載のモニター懸架用壁掛金具。
【請求項５】
モニターを壁の所定の位置に取り付ける壁用金具と、前記モニターに取り付けるモニター用金具とから成るモニター懸架用壁掛金具において、前記壁用金具の壁取付面の両サイドには、前方に直角に起こして形成した側板が形成されていると共に、この側板の前端縁は中間部から下においてその幅が大きく形成されていること、
前記壁掛金具の側板の下位には、一定の回転トルクで回転するヒンジ機構を介して保持金具が取り付けられていると共に、この保持金具の上端には水平に受け座が形成されていること、
前記モニター用金具には、モニターを固定するモニター取付面の両サイドを後方に直角に起こして形成した側板が形成されていると共に、この側板の中間部より下位には、側板より更に突出し、かつ先端側が外に広がったガイド傾斜面を有する保持部を形成し、この保持部の根元側の下部に切欠部を形成し、更にこのモニター用金具において、前記側板の内側には、前記保持金具の受け座に上方から係合するための下向きの係合爪が形成されていること、
前記保持金具において、前記ヒンジ機構より上位に接合ネジを取り付けて、前記モニター用金具の保持部の根元に形成した切欠部が係合することにより、モニター側金具に作用する回転トルクを保持金具を経由して前記ヒンジ機構に伝達するように構成したことを特徴とするモニター懸架用壁掛金具。
【請求項６】
前記保持金具に穿設された前記ヒンジ機構の軸が貫通する軸支孔を多角形に形成し、この多角形の軸支孔にヒンジ機構の軸をカシメ止めしたことを特徴とする請求項１又は５に記載のモニター懸架用壁掛金具。
【請求項７】
前記ヒンジ機構において、ワッシャーの摺動面にグリス溜りを形成したことを特徴とする請求項１又は５に記載のモニター懸架用壁掛金具。
【手続補正２】
【補正対象書類名】明細書
【補正対象項目名】００１１
【補正方法】変更
【補正の内容】
【００１１】
さらに請求項６に記載の発明においては、請求項１又は５に記載のモニター懸架用壁掛金具おいて、前記保持金具に穿設された前記ヒンジ機構の軸が貫通する軸支孔を多角形に形成し、この多角形の軸支孔にヒンジ機構の軸をカシメ止めしたことを特徴とするものである。
本発明によると、ヒンジ機構において、ヒンジ機構の軸と保持金具は一体となって回転することが必要である。その理由はスリップすると任意の角度で固定できなくなるからである。そのため、従来は軸に回り止め機構（Ｄカット等）を形成する必要があり、工程数が増えて軸の生産に支障があった。本発明の懸架用壁掛金具では、保持金具側の軸支孔を多角形にすることにより、円筒形の軸をかしめた時、軸が多角形になじむ様になり、よって、回転に対して各角が引っかかり、スリップしない効果が生じ、軸と保持金具は一体となって作動することになる。
【手続補正３】
【補正対象書類名】明細書
【補正対象項目名】００１３
【補正方法】変更
【補正の内容】
【００１３】
請求項１〜請求項７に記載されたモニター懸架用壁掛金具によると、次の効果を奏する。
１．モニターの上向き又は下向きの角度を自由に変えられるので、視聴者は適した角度
でモニターを見ることができる（請求項１、５）。
２．モニターを一時的に壁掛金具へ掛けられ、また、保持金具とモニター用金具とを固
定する接合ネジは、始めは仮止めしておき、組み合わせ後本締めができるので、１人
の作業者により懸架作業ができる（請求項１、２、３）。
３．壁用金具にはモニター用金具を呼び込むガイド傾斜面付の保持部を形成しているの
で懸架作業を容易に行うことができる（請求項４）。
４．保持金具に形成された軸支孔を多角形に形成することにより、軸は円筒形でよく、
したがって旋盤加工のみで作成できる（請求項６）。
５．ヒンジ機構において、ワッシャーの摺動面に凹状のグリス溜りを形成したので耐久
性が向上する（請求項７）。
【手続補正４】
【補正対象書類名】明細書
【補正対象項目名】００２３
【補正方法】変更
【補正の内容】
【００２３】
【図１】懸架用壁掛金具の説明図
【図２】壁用金具と保持金具の正面図
【図３】壁用金具と保持金具の側面図
【図４】壁用金具と保持金具の平面図
【図５】ヒンジ機構の断面図
【図６】ヒンジ機構の分解斜視図
【図７】保持金具に軸をカシメ止めする直前の説明図
【図８】保持金具に軸をカシメ止めした状態の説明図
【図９】モニター用金具の正面図
【図１０】モニター用金具の側面図
【図１１】モニター用金具の平面図
【図１２】（Ａ）は壁用金具にモニター用金具を引っ掛ける直前の中央で縦断面したモニター用金具と壁用金具の様子を、断面の内側から見たときの説明図、（Ｂ）は引っ掛けた後の様子を、断面の内側から見たときの説明図
【図１３】壁用金具にモニター用金具を引っ掛けた様子を、金具の外側から見たときの説明図
【図１４】モニターの角度調整の様子を、金具の外側から見たときの説明図
【図１５】従来の懸架用壁掛金具の説明図